(57)【要約】【課題】除塵手段を直流電源と充電電源で動作させるものにおいて、掃除動作中の状態によって充電の開始および停止を行い、充電停止中は充電に使用してた消費電力を電動送風機に供給することで、十分な集塵性能を確保できつつ、除塵動作に必要な充電が行える電気掃除機を提供する。【解決手段】電動送風機２と、除塵手段６５と、第１の直流電源６７と、第２の充電電源６８と、電源切り替え駆動手段７０と、掃除機の状態を検出する状態検出手段７１とを備え、掃除機の状態によって、充電電源への充電を制御する構成とした。【選択図】図７
2012005733.tif 000002
【特許請求の範囲】
【請求項１】
吸引風を発生する電動送風機と、塵埃を捕集する集塵容器と、前記電動送風機に連通すると共に前記集塵容器が着脱自在に装着される集塵容器収納部と、塵埃を捕捉するフィルタと、前記フィルタを振動させて捕捉した塵埃を取り除く除塵手段と、前記除塵手段を動作させる電源として、第１の直流電源と、第２の充電電源と、前記直流電源と充電電源を切り替えて動作させる電源切り替え駆動手段と、掃除機の状態を検出する状態検出手段と、前記除塵手段の動作および状態検出手段からの信号を受け、充電電源に充電を行う動作を制御する制御手段とを備えたことを特徴とする電気掃除機。
【請求項２】
電動送風機によって発生する風量を検出する風量検出手段を備え、風量が所定風量以下になった場合には、充電電源の充電を停止することを特徴とする請求項１記載の電気掃除機。
【請求項３】
電動送風機の消費電力を検出する電力検出手段を備え、消費電力が所定電力以上になった場合には、充電電源の充電を停止することを特徴とする請求項１記載の電気掃除機。
【請求項４】
電動送風機または制御手段の温度を検出する温度検出手段を備え、検出温度が所定温度以上になった場合には、充電電源の充電を停止することを特徴とする請求項１記載の電気掃除機。
【請求項５】
塵埃の通気経路に塵埃を検出する塵埃検出手段を備え、塵埃が所定量以上になっている場合には、充電電源の充電を停止することを特徴とする請求項１記載の電気掃除機。
【請求項６】
商用電源からの電源供給を検出する供給電源検出手段を備え、電源供給されてから所定時間が経過したら、充電電源の充電を停止させ、商用電源の着脱があった場合に再度充電を行うことを特徴とする請求項１から５のいづれか１項に記載の電気掃除機。
【発明の詳細な説明】
【技術分野】
【０００１】
本発明は電動送風機の吸込み側に濾過式のフィルターが配置された電気掃除機に関するものである。
【背景技術】
【０００２】
従来、濾過式のフィルターを吸い込み側に配置して、濾過式のフィルターに補足された塵埃を除塵手段によって取り除く電気掃除機に関しては、除塵手段を動作させる電動機と電動機を駆動する電力を蓄えるエネルギー蓄積手段を備えるものが提案されている。（例えば、特許文献１参照）。
【先行技術文献】
【特許文献】
【０００３】
【特許文献１】特開２００４−２１５８９７号公報
【発明の概要】
【発明が解決しようとする課題】
【０００４】
しかしながら、上記のような電気掃除機の構成では、電源プラグが電源から抜かれたときしか除塵動作は行われないため、電源プラグをほとんど抜かれない使用者の場合では除塵効果は少なく、また、除塵動作中に電動送風機に電力が供給されると、除塵動作が中止されるため、電源プラグを投入してすぐに掃除動作を行う使用者の場合では除塵動作が少なくなってしまい、塵落としの効果が不十分な電気掃除機となっていた。濾過式のフィルターの塵落としの効果が不十分になると、塵埃が堆積していなくもフィルターに付着した塵埃で風量低下するために吸込み力も少なくなってしまう。
【０００５】
また、除塵動作を駆動する電力を蓄えるエネルギー蓄積手段の蓄積タイミングは、適宜行うようになっており、商用電源が供給されているときに常時充電を行っている場合は、充電に必要な消費電力が常時消費されており、除塵動作に必要な電力以上の無駄な電力が消費されてしまう。また掃除動作を行っているときだけしか、充電を行わないようにすると、充電が不十分となり、除塵動作が不十分となってしまう。
【０００６】
さらに充電装置の電源で二次電池またはキャパシタの充電と、電動送風機の動作を行っており、充電装置の電源容量は一定であるため、二次電池またはキャパシタを充電している間は電動送風機に供給する電力は小さくなってしまい、吸込み力が不十分な電気掃除機となっていた。
【０００７】
本発明は上記従来の課題を解決するものであって、掃除動作中の状態を検出して、強い吸込み力が必要なく、消費電力が少ないときに、充電電源に充電を行い、強い吸込み力が必要な場合には、充電を停止させ、すべての電力を電動送風機に供給することで、高い吸込み力が実現でき、十分な集塵性能を確保できる電気掃除機を提供することを目的とする。
【課題を解決するための手段】
【０００８】
前記従来の課題を解決するために、本発明の電気掃除機は、吸引風を発生する電動送風機と、塵埃を捕集する集塵容器と、前記電動送風機に連通すると共に前記集塵容器が着脱自在に装着される集塵容器収納部と、塵埃を捕捉するフィルターと、前記フィルターを振動させて捕捉した塵埃を取り除く除塵手段と、前記除塵手段を動作させる電源として、第１の直流手段と、第２の充電電源と、前記直流電源と充電電源を切り替える電源切り替え
手段と、掃除機の状態を検出する状態検出手段と、前記除塵手段の動作および状態検出手段からの信号を受け、充電電源に充電を行う動作を制御する制御手段とを備え、掃除機の状態によって、充電電源への充電を制御するものである。
【０００９】
これによって、強い吸込み力が必要なく、消費電力が少ないときに、充電電源に充電を行い、強い吸込み力が必要な場合には、充電を停止させ、すべての電力を電動送風機に供給することで、高い吸込み力が実現でき、十分な集塵性能を確保できつつ、除塵動作に必要な充電が行える。
【００１０】
また電動送風機の電源は商用電源にし、除塵手段の電源のみを直流電源とすることで電動送風機は高い吸込み力を実現でき、直流電源も小型軽量化が行える電気掃除機を提供できる。
【発明の効果】
【００１１】
本発明の電気掃除機は、電動送風機除の消費電力が少なくても集塵性能が満足できる状態のときに充電を行い、電動送風機の消費電力を上げて集塵性能を上げる必要があるときに充電を停止させ、すべての電力を電動送風機に供給することができるため、除塵動作に必要な充電が行えつつ、十分な集塵性能を確保することができることを目的としている。
【図面の簡単な説明】
【００１２】
【図１】本発明の実施の形態における電気掃除機の全体斜視図
【図２】同電気掃除機の側断面図
【図３】同電気掃除機の集塵容器の斜視図
【図４】同集塵容器の断面図
【図５】同集塵容器と集塵容器収納部の斜視図
【図６】同集塵容器の裏面斜視図
【図７】同電気掃除機の制御システムブロック図
【発明を実施するための形態】
【００１３】
第１の発明は、吸引風を発生する電動送風機と、塵埃を捕集する集塵容器と、前記電動送風機に連通すると共に前記集塵容器が着脱自在に装着される集塵容器収納部と、塵埃を捕捉するフィルターと、前記フィルターを振動させて捕捉した塵埃を取り除く除塵手段と、前記除塵手段を動作させる電源として、第１の直流電源と、第２の充電電源と、前記直流電源と充電電源を切り替えて動作させる電源切り替え駆動手段と、掃除機の状態を検出する状態検出手段と、前記除塵手段の動作および状態検出手段からの信号を受け、充電電源に充電を行う動作を制御する制御手段とを備え、掃除機の状態によって、充電電源への充電を制御することにより、高い消費電力が必要なく集塵性能が確保できる状態のときに、充電電源に充電を行い、高い消費電力でないと集塵性能が確保できない場合には、充電を停止させ、すべての電力を電動送風機に供給することで、十分な集塵性能を確保できつつ、除塵動作に必要な充電が行える。
【００１４】
また電動送風機の電源は商用電源にし、除塵手段の電源のみを直流電源とすることで電動送風機は高い吸込み力を実現でき、直流電源も小型軽量化が行える。
【００１５】
第２の発明は、電動送風機の動作によって発生する風量を検出する風量検出手段を備え、風量が予め設定している風量以下になった場合には、充電電源の充電を停止することにより、集塵容器に塵埃が多く溜まっていなく風量があり、集塵性能が十分にあるときに充電を行い、集塵容器に塵埃が多く溜まって風量が低下し、集塵性能が低下してきたときに、充電を停止して、充電に使用していた電力を電動送風機に供給することで集塵性能の低下を抑え、集塵性能を確保しつつ、除塵動作に必要な充電が行える。
【００１６】
第３の発明は、電動送風機の消費電力を検出する電力検出手段を備え、消費電力が予め設定している電力以上になった場合には、充電電源の充電を停止することにより、使用者が充電に必要な電力を残した状態で掃除動作を行っているときに充電を行い、充電に必要な電力以上で掃除動作を行っているときには充電を停止することで集塵性能を確保しつつ、除塵動作に必要な充電が行える。
【００１７】
第４の発明は、電動送風機または制御手段の温度を検出する温度検出手段を備え、検出温度が予め設定している温度以上になった場合には、充電電源の充電を停止することにより、集塵容器に塵埃が多く溜まっていなく、風量によって電動送風機または制御手段の冷却があるときに充電を行い、集塵容器に塵埃が多く溜まって風量が低下し、電動送風機または制御手段の冷却が少なくなってきたときに、充電を停止して、充電に使用していた電力を電動送風機に供給することで集塵性能の低下を抑え、集塵性能を確保しつつ、除塵動作に必要な充電が行える。
【００１８】
第５の発明は、塵埃の通気経路に塵埃を検出する塵埃検出手段を備え、塵埃が予め設定している検出量以上になっている場合には、充電電源の充電を停止することにより、塵埃検出量が少ないときには、電動送風機の電力供給を下げて、充電を行い、塵埃検出量が多いときには充電を停止して、電動送風機の電力供給を上げることで、集塵性能を確保しつつ、除塵動作に必要な充電が行える。
【００１９】
第６の発明は、商用電源からの電源供給を検出する供給電源検出手段を備え、電源供給されてから予め設定している時間が経過したら、充電電源の充電を停止させ、商用電源の着脱があった場合に再度充電を行うことにより、商用電源の着脱が行われたときだけに、充電を行うため、商用電源から電源が供給された停止状態で放置されていても、充電による消費電力は抑えることができ、省エネが行える。
【００２０】
以下、本発明の実施の形態について、図面を参照しながら説明する。なお、この実施の形態によって本発明が限定されるものではない。
【００２１】
（実施の形態）
本発明の実施の形態における電気掃除機について、図１〜図７を用いて説明する。図１は、本実施の形態における電気掃除機の全体斜視図、図２は同電気掃除機本体の側断面図である。図１、２において、掃除機本体１は、後部に電動送風機２を内蔵した電動送風機室３が配され、前部に、着脱自在で塵埃を分離捕集する集塵容器４を収納する集塵容器収納部５が配され、後方下部の両側に１対の走行用の車輪６が回転自在に取付けられ、底面前部には、同じく走行用のキャスター７が取付けられている。
【００２２】
掃除機本体１の前部には、ホース８の一端に設けた接続パイプ９が着脱自在に接続される吸入口１０が設けられている。ホース８の他端には、掃除の際に握ると共に掃除機本体１の運転を操作するための運転操作部１１ａを有する把手１１を備えた先端パイプ１２が設けられている。伸縮自在或いは継ぎ自在の延長管１３は、下流側端部が前記先端パイプ１２に着脱自在に接続され、他端は、塵埃掻き上げ用の回転ブラシ１４とその回転ブラシ１４を回転駆動する電動機１５を内蔵した床用吸込具１６に着脱自在に接続される。
【００２３】
弾性材料から成形され掃除機本体１の前部から両側にかけて延設されたバンパー１７は、掃除機本体１の走行時に、掃除機本体１が家具、柱などに衝突してもそれらに傷を付けないようにするためのものである。掃除機本体１を持ち運ぶ際に立てて使用する本体ハンドル１８は、掃除機本体１の重心を通る垂直線上に回動中心が位置するように掃除機本体１の上部に回動自在に取付けられている。集塵容器４の持ち運び用の容器ハンドル１９は
、集塵容器４を持ち運ぶ時や、掃除機本体１の集塵容器収納部５から取り外す時に、握るものである。
【００２４】
掃除機本体１の外郭は、後方に電動送風機２を収納する電動送風機室３を形成した下ボデー１ａと上ボデー１ｂから構成されている。電動送風機２の前部は、弾性体よりなるサポート前２０で、後部は、同じく弾性材料からなるサポート後２１で、電動送風機室３内に支持されている。電動送風機室３と集塵容器収納部５とを仕切る隔壁２２は、略中央に電動送風機２の吸入開口２ａと連通する格子状の隔壁開口部２３が設けられ、その隔壁開口部２３は、集塵容器収納部５側から三次フィルター２４で覆われている。掃除機本体１に電源を供給する電源コード２５を備え、掃除機本体１の吸入口１０の後方には、集塵容器４を集塵容器収納部５に装着したときに、集塵容器４の前部に密着するパッキン２９が設けられている。
【００２５】
次に、集塵容器４の構成について図３〜６を用いて説明する。図３は同電気掃除機の集塵容器の斜視図、図４は同集塵容器の断面図、図５は集塵容器収納部の斜視図、図６は同集塵容器の裏面斜視図である。図３〜６において、集塵容器４は、集塵容器本体２７と、集塵容器本体２７の後方開口部に着脱自在に装着されるフィルターユニット２８から構成されている。集塵容器本体２７の前部には、集塵容器４を掃除機本体１の集塵容器収納部５に装着した時に、掃除機本体１の吸入口１０の後方に設けたパッキン２９に気密に圧接し連通する吸入口Ａ３０が設けられている。
【００２６】
集塵容器本体２７は、さらに、吸入口Ａ３０に直接連通すると共に粗塵を収納する粗塵室３１と粗塵室３１を通過した吸引風に含まれた細塵を捕集するフィルターユニット２８から離脱した細塵を収納する細塵室３２と、前記粗塵室３１と細塵室３２の下部開口３９を覆うと共に後方端部が集塵容器本体２７に回動自在に軸支された蓋体３３を備えている。蓋体３３は、コイルバネ３４により開成方向に付勢されており、通常は集塵容器本体２７に設けた尾錠３５で、その前部が閉じた状態に保持されており、容器ハンドル１９の前部に設けた容器操作部３６を押すと、それに連結された連結棒３７を介して尾錠３５を外方に移動し、蓋体３３がコイルバネ３４の付勢力で開くようになっている。
【００２７】
粗塵室３１は、吸入口Ａ３０と連通する粗塵室開口部３１ａを有する共に、その粗塵室開口部３１ａ部分を除く全内周壁（４側壁）は、下部開口３９に向かって次第に広がる傾斜面４０を有する一次フィルターＡ４２で形成されている。集塵容器４の側部に回転自在に支持された駆動軸５４が設けられ、後端にギヤＢ５４ａを有し、さらに、ギヤＡ２８ｂに噛み合うギヤＣ５４ｂを備えている。
【００２８】
一方、掃除機本体１の隔壁２２には、集塵容器４を集塵容器収納部５に装着したときに、ギヤＢ５４ａが噛み合うと共に、駆動手段である除塵モータ６６で回転駆動されるギヤＥ５６を収納するギヤ収納部５７が設けられている。
【００２９】
フィルターユニット２８は、図６に示すように、枠体４８と、プリーツ折りされ、そのプリーツ目を縦方向にして枠体４８に設けられた二次フィルター４９と、横方向に摺動自在に設けられ除塵手段である弾き体２８ａと、フィルターユニット２８の側部に回転自在に設けられたギヤＡ２８ｂと、前記ギヤＡ２８ｂの外周部と弾き体２８ａの一部とを連結する連結棒Ｂ２８ｃとから構成されている。さらに、弾き体２８ａの二次フィルター４９と対向する面には、プリーツ折りされた二次フィルター４９の各山折り部４９ａに当接する突起（図示せず）が設けられている。
【００３０】
上記構成により、ギヤＡ２８ｂを回転させると、連結棒Ｂ２８ｃを介して連結された弾き体２８ａが左右に往復移動すると共に、その間に、弾き体２８ａに設けた突起が、二次
フィルター４９の山折り部４９ａを弾き、その時に振動やショックで、二次フィルター４９の裏面（粗塵室３１側の面）に付着した細塵がふるい落とされ、細塵室３２に溜まると共に、二次フィルター４９の濾過性能が復活するようになっている。
【００３１】
フィルターユニット２８の枠体４８の下流側端部には全周に渡ってリップ５１が、一体叉は一体的に形成され集塵容器４を集塵容器収納部５に装着した時に、そのリップ５１が掃除機本体１の隔壁２２の集塵容器収納部５側の面に圧接され、電動送風機２の運転時に外気が吸引されないようになっている。フィルターユニット２８の前面は、フィルターユニット２８を集塵容器本体２７に装着した時に、粗塵室３１の後方開口部３１ｂを気密に覆うようになっている。
【００３２】
次に、図７を用いて本実施の形態における電気掃除機の制御について説明する。図７において、掃除機本体１が商用電源（図示せず）に接続され、通電されたかどうかを検知する通電検知手段６１を備える。マイクロコンピュータなどにより構成される制御手段６２は、使用者によって運転操作部１１ａより入力された操作情報に基づき、電動送風機２を駆動する駆動手段６４へ信号を出力したり、操作情報や通電検知手段６１の検知情報に基づき、除塵モータ６６を駆動し、除塵手段６５を動作させる。
【００３３】
除塵手段６５は、ギアを回駆動する除塵モータ６６などから構成され、前記制御手段６２からの信号を受けて駆動している。直流電源６７は、商用電源からの交流電源をスイッチング電源等で直流に変換するもので除塵手段６５の第１の電源である。充電電源６８は、二次電池や電気二重層コンデンサ等により、直流電源６７からの電源で充電装置６９によって充電され、除塵手段６５の第２の電源である。
【００３４】
電源切り替え駆動手段７０は、直流電源６７と充電電源６８の２つの電源を切り替えて除塵手段６５を駆動させるもので制御手段６２によって制御している。状態検出手段７１は、風量検出手段７２や、消費電力検出手段７３や、温度検出手段７４等により掃除動作中の状態を検出しており、制御手段６２に信号を出力している。塵埃検出手段７５は、塵埃の吸気通路内に発光素子と受光素子とを配して、塵埃が通過したことを検出しており、制御手段６２に信号を出力している。
【００３５】
上記のように構成された本実施の形態における電気掃除機の動作、作用は以下の通りである。電気掃除機の使用開始にあたり、使用者が、掃除機本体１の電源プラグ（図示せず）を室内の壁に設けたコンセントに差すと、通電検知手段６１が、掃除機本体１に通電されたことを検知し、制御手段６２に信号を送る。制御手段６２は、電源切り替え駆動手段７０に信号を送って、直流電源６７で除塵手段６５を動作させる除塵モータ６６を駆動する。
【００３６】
そして、ギヤＡ２８ｂが回転することによって、連結棒Ｂ２８ｃを介して連結された弾き体２８ａが左右に往復移動し、二次フィルター４９の裏面に付着した細塵がふるい落とされる。この動作は電源投入から５秒以内で終了するようになっている。除塵動作が終了すると制御手段６２は、充電装置６９に充電電源６８を充電するように信号を出力し、充電が開始される。
【００３７】
次に、運転操作部１１ａを操作して、電気掃除機の運転を開始すると、制御手段６２は駆動手段６４に信号を送り、電動送風機２を運転させる。この電動送風機２による吸引力が、二次フィルター４９、一次フィルターＡ４２および一次フィルターＢ４３、粗塵室３１、ホース８、延長管１３を経て床用吸込具１６に至る。そして、制御手段６２が電動機１５を駆動して、回転ブラシ１４を回転させ床面の塵埃を掻き上げて塵埃を捕集し、吸引された塵埃を含んだ空気が、掃除機本体１の吸気口を通って集塵容器本体２７の吸入口１
０から真っ直ぐ粗塵室３１に入り、一次フィルターＡ４２及び一次フィルターＢ４３に当たりそこで塵埃が捕集され、堆積していく。一次フィルターＡ４２および一次フィルターＢ４３を通過した空気に含まれる微細塵は、二次フィルター４９で捕捉される。
【００３８】
ここで状態検出手段７１である風量検出手段７２による動作を説明する。塵埃が集塵容器４に堆積していないときには、塵埃による負荷圧損が小さいため、電動送風機２で発生する風量は大きく、その吸引風量によって集塵性能は高い状態にあり、充電電源６８への充電は継続する。しかしながら塵埃が集塵容器４に堆積していくと負荷圧損が大きくなり、風量が低下していく。風量低下を抑えるように風量を検出して、消費電力を上げる動作も行っているが、それでも塵埃の堆積によって風量低下が生じるため、予め設定している風量まで低下したときには、充電電源６８への充電を停止させ、充電で消費していた電力を電動送風機２に補填し、さらに風量低下を抑えるように制御している。
【００３９】
次に掃除が終了し停止操作を行うと、制御手段６２は、駆動手段６４に電動送風機２を停止するように出力し、電源切り替え駆動手段７０に信号を送って、直流電源６７で除塵手段６５を動作させる除塵モータ６６を駆動する。ここで電源コンセントを抜かずに、停止状態および掃除時間が予め設定している時間が経過したら充電は終了し、コンセントの抜き差しを行わないと充電は行わないようになっている。
【００４０】
次に電源プラグをコンセントから抜くと通電検知手段６１が、掃除機本体１に通電されたことを検知し、充電電源６８を電源として制御手段６２は動作し続け、制御手段６２は、電源切り替え駆動手段７０に信号を送って、充電電源６８で除塵手段６５を動作させる除塵モータ６６を駆動する。除塵動作が終了すると、制御手段６２は充電電源６８から電源供給を停止させ動作は終了する。
【００４１】
ここで状態検出手段７１である消費電力検出手段７３による動作を説明する。前述に述べたように塵埃の堆積によって風量が低下すると消費電力を上げる動作を行っており、その電力が予め設定している電力まで増加したときには、充電電源６８への充電を停止させ、充電で消費していた電力を電動送風機２に補填し、さらに風量低下を抑えるように制御する。
【００４２】
温度検出手段７４についても同様で、風量低下によって、電動送風機２の冷却が小さくなり、電動送風機２の温度が上昇してくる。電動送風機２の温度が上昇してくると、掃除機全体の温度が上昇し、制御手段６２周辺の温度も上昇するため、電動送風機２の温度や、制御手段６２近傍の温度を検出し、予め設定している温度まで上昇したときには、充電電源６８への充電を停止させ、充電で消費していた電力を電動送風機２に補填し、さらに風量低下を抑えるように制御する。
【００４３】
運転操作部１１ａには、電動送風機２の吸込み力を選択するスイッチがあり、上述したものは「強」ポジションで掃除動作させたときの説明で、その他の「標準」、「弱」ポジションがあり、このポジションでは塵埃検出手段７５によって、塵埃を吸い込んだことを検出し、吸い込まれたときには電動送風機２の消費電力を上げる動作を行っており、塵埃検出量によって複数のパワーテーブルを備え、最適な消費電力で動作している。その塵埃検出量が少なく、消費電力が小さい場合には、充電電源６８への充電は行うが、塵埃検出量が多く、予め設定している塵埃検出量以上になると充電電源６８への充電は停止する。
【００４４】
次に、集塵容器４内に堆積した塵埃の廃棄について説明する。集塵容器４を集塵容器収納部５から取り外す時は、容器ハンドル１９を握って集塵容器４を上方に持上げるだけで良い。そして、集塵容器４をごみ箱などの上に持っていって、容器操作部３６を押すと、連結棒３７が下がって、尾錠３５が外方に移動して、蓋体３３と尾錠３５との係止が解除
され、蓋体３３がコイルバネ３４の付勢力で開成し、粗塵室３１内の圧縮された塵埃並びに、細塵室３２に堆積した細塵がごみ箱内に落下する。
【００４５】
以上のように、本実施の形態によれば、二次フィルター４９の塵埃付着面が、上方部になっている場合には、二次フィルター４９の除塵を行わないので、塵埃がプリーツ部の奥まで入り込んだり、集塵が除塵の振動によって二次フィルター４９の目に入り込んでしまい、目詰まりすることを低減できる。そのため正常な方向での除塵動作時には、フィルターに付着した塵埃を比較的に安定してたたき落すことができる。安定してフィルターの塵埃を除去できるので掃除機の風量低下低減やフィルターのお手入れ回数も減らすことができる。さらに風量低下低減ができるので、掃除機の騒音低減や、温度上昇低減も行える。
【００４６】
以上のように、本実施の形態によれば、高い消費電力が必要なく集塵性能が確保できる状態のときに、充電電源に充電を行い、高い消費電力でないと集塵性能が確保できない場合には、充電を停止させ、すべての電力を電動送風機に供給することで、十分な集塵性能を確保できつつ、除塵動作に必要な充電が行える。また電動送風機の電源は商用電源にし、除塵手段の電源のみを直流電源とすることで電動送風機は高い吸込み力を実現でき、直流電源も小型軽量化が行える。
【産業上の利用可能性】
【００４７】
以上のように、本発明にかかる電気掃除機は、フィルターに付着した塵埃除去を除塵動作に充電電源を備えて行う、除塵効果の優れた各種家庭用、業務用電気掃除機等に広く適用できる。
【符号の説明】
【００４８】
２  電動送風機
４  集塵容器
５  集塵容器収納部
２７  集塵容器本体
２８ａ  弾き体
６２  制御手段
６６  除塵モータ
６７  直流電源
６８  充電電源
７０  電源切り替え駆動手段
７１  状態検出手段
７２  風量検出手段
７３  消費電力検出手段
７４  温度検出手段
７５  塵埃検出手段
【図１】
2012005733.tif 000003
【図２】
2012005733.tif 000004
【図３】
2012005733.tif 000005
【図４】
2012005733.tif 000006
【図５】
2012005733.tif 000007
【図６】
2012005733.tif 000008
【図７】
2012005733.tif 000009